(57)【要約】【課題】マルチワイヤーソー装置などに対する着脱作業が容易であり、着脱作業中の安全性にも優れたワイヤー工具を提供する。【解決手段】ワイヤー工具１０は芯線１１の外周に砥粒１２を合成樹脂１３で固着した砥粒層１４を有する切削工具であり、当該ワイヤー工具１０の両方の端部１０ａ，１０ｂからそれぞれ所定長さの部分に研削液に濡れ難い有色被膜１５，１６が設けられている。ワイヤー工具１０の全長１０Ｌは約５０ｋｍであり、有色被膜１５，１６の長さ１５Ｌ，１６Ｌはそれぞれの端部１０ａ，１０ｂから約１ｋｍとしている。有色被膜１５，１６はいずれも赤色であり、アクリルシリコン樹脂を含有する塗料を砥粒層１４の外周面１４ａに塗装し、常温下で約３０分間乾燥させることによって形成されている。【選択図】図１
2015174163.tif 000002
【特許請求の範囲】
【請求項１】
芯線の外周に砥粒を電着金属若しくは合成樹脂で固着したワイヤー工具において、当該ワイヤー工具の少なくとも一部に研削液に濡れ難い有色被膜を設けたことを特徴とするワイヤー工具。
【請求項２】
前記ワイヤー工具の少なくとも一方の端部から所定長さの部分に前記有色被膜を設けた請求項１に記載のワイヤー工具。
【請求項３】
前記有色被膜が赤色である請求項１または２に記載のワイヤー工具。
【請求項４】
前記有色被膜を、アクリル樹脂、アクリルシリコン樹脂、ウレタン樹脂、アルキド樹脂の中の少なくとも一つを含む塗料で形成した請求項１〜３のいずれかに記載のワイヤー工具。
【請求項５】
前記塗料が顔料若しくは蛍光物質の少なくとも一方を含むものである請求項４に記載のワイヤー工具。
【請求項６】
前記塗料のマンセル値の色相が５Ｒ〜７Ｒである請求項４または５に記載のワイヤー工具。
【請求項７】
前記塗料のマンセル値の明度が５〜６である請求項４〜６のいずれかに記載のワイヤー工具。
【請求項８】
前記塗料のマンセル値の彩度が１６〜１９である請求項４〜７のいずれかに記載のワイヤー工具。
【請求項９】
前記ワイヤー工具の端部から１ｋｍの長さの部分を前記有色被膜とした請求項１〜８のいずれかに記載のワイヤー工具。
【請求項１０】
前記有色被膜の表面に蒸留水を塗布したときの接触角が７３度〜９１度である請求項１〜８のいずれかに記載のワイヤー工具。
【発明の詳細な説明】
【技術分野】
【０００１】
本発明は、シリコン、サファイア、ＳｉＣ、ＧａＮなどのインゴットをスライス加工する際に使用されるワイヤー工具に関する。
【背景技術】
【０００２】
ワイヤー工具を使用してシリコン、サファイア、ＳｉＣ、ＧａＮなどのインゴットをスライス加工する技術については、ワイヤー工具の種類により、遊離砥粒方式と固定砥粒方式に大別される。遊離砥粒方式は、砥粒を含有する研削液をワイヤー工具に供給しながらインゴットの切断加工を行うものであり、走行するワイヤー工具によってインゴットに押し当てられた砥粒がインゴットを削り取るようにして切断が行われる。固定砥粒方式は、芯線の外周に砥粒が固着されたワイヤー工具を使用し、走行中のワイヤー工具にインゴットを押し当て、芯線の外周の砥粒でインゴットを切断するものである（例えば、特許文献１参照。）。
【０００３】
固定砥粒方式のワイヤー工具については、エポキシ樹脂、フェノール樹脂、アクリル樹脂などの合成樹脂で砥粒を芯線の外周に固着したレジンワイヤー工具と、砥粒をメッキ（電着金属）によって芯線の外周に固着した電着ワイヤー工具と、に分けられる。
【０００４】
固定砥粒方式のワイヤー工具を使用してインゴットをスライス加工する場合、例えば、図４に示すようなマルチワイヤーソー装置１００が用いられている。マルチワイヤーソー装置１００においては、ワイヤー工具１０１をガイドするための複数のガイド溝１０２が外周に形成された複数のガイドローラー１０３が、それぞれの軸心１０３ｃが互いに平行をなすように配置され、繰り出しボビン（図示せず）から供給されるワイヤー工具１０１を各ガイド溝１０２に掛けて一定張力で平行に張り、複数のガイドローラー１０３の間で往復運動するワイヤー工具１０１に対し、被加工物であるインゴット１０４を押し当てることにより、インゴット１０４の切断加工（スライス加工）が行われている。
【０００５】
また、図４に示すマルチワイヤーソー装置１００においては、図示していないが、繰り出しボビンから一方のガイドローラー１０３までの間、及び、他方のガイドローラー１０３から巻き取りボビンまでの間に、ワイヤー工具１０１を所定方向に誘導したり、一定姿勢に保持したりするための複数のプーリが配置されている。
【０００６】
一方、本発明と全く異なる技術分野であるが、例えば、医療器具の分野においては、カテーテルの先端を目的箇所に導く際に使用される医療用ガイドワイヤの視認性を向上させるために螺旋状の模様を付したもの、あるいは医療用ワイヤーロープの識別性を向上させるために螺旋状の着色部位を設けたものなどが提案されている（例えば、特許文献２，３参照。）。
【先行技術文献】
【特許文献】
【０００７】
【特許文献１】特開２０００−２８８９０２号公報
【特許文献２】特開２００２−１７８６４号公報
【特許文献３】特開２０１２−１９３４７５号公報
【発明の概要】
【発明が解決しようとする課題】
【０００８】
前述したように、固定砥粒方式のワイヤー工具を使用してインゴットをスライス加工する場合、図４に示すマルチワイヤーソー装置１００が用いられているが、切断作業を開始する前に、ワイヤー工具１０１をマルチワイヤーソー装置１００に装着する作業が極めて困難であるという問題がある。
【０００９】
即ち、マルチワイヤーソー装置１００は、二つのガイドローラー１０３のガイド溝１０２や、その前後段階に配置された複数のプーリ（図示せず）など、ワイヤー工具１０１をセットすべき個所を多く備えているだけでなく、ワイヤー工具１０１は、外径が細く（数百μｍ程度）、目視確認が困難であるため、マルチワイヤーソー装置１００にワイヤー工具１０１を装着したり、離脱させたりする作業は極めて困難である。また、ワイヤー工具１０１は細くて目視確認し難いのみならず、切削機能を有しているため、装着作業中、予期せぬときに誤って手指などがワイヤー工具１０１に触れると、皮膚を傷つける可能性もある。
【００１０】
このような問題に対処する手段として、ワイヤー工具１０１の視認性を高めることが考えられるが、ワイヤー工具に対し、特許文献２，３に記載されている技術を応用することは、ほぼ不可能である。
【００１１】
そこで、本発明が解決しようとする課題は、マルチワイヤーソー装置などに対する着脱作業が容易であり、着脱作業中の安全性にも優れたワイヤー工具を提供することにある。
【課題を解決するための手段】
【００１２】
本発明のワイヤー工具は、芯線の外周に砥粒を電着金属若しくは合成樹脂で固着したワイヤー工具において、当該ワイヤー工具の少なくとも一部に、研削液に濡れ難い有色被膜を設けたことを特徴とする。ここで、有色とは、当該ワイヤー工具の他の部分と色相、明度、彩度のいずれか１以上が異なることをいう。
【００１３】
このような構成とすれば、ワイヤー工具の有色被膜は、他の部分より目立つ状態となって目視確認し易くなり、所謂、視認性が向上するので、マルチワイヤーソー装置などに対する着脱作業が容易となる。また、視認性が向上することにより、予測しない状況で手指がワイヤー工具に接触することを回避することができるので、安全性にも優れている。また、有色被膜を設けたことにより、砥粒が被膜で被覆された状態となるので、マルチワイヤーソー装置などへの装着作業中、予期せぬ時に誤って手指などがワイヤー工具に触れても、皮膚を傷つけ難くなる。さらに、本発明における有色被膜は研削液に濡れ難いので、研削液がワイヤー工具に付着しても有色被膜の表面で弾かれ、優れた視認性を維持することができる。
【００１４】
また、前記ワイヤー工具の少なくとも一方の端部から所定長さの部分に前記有色被膜を設けることが望ましい。
【００１５】
ワイヤー工具をマルチワイヤーソー装置など対して取り付けたり、取り外したりする場合、着脱作業に関与するのはワイヤー工具の端部寄りの部分であるため、前記構成とすれば、有色被膜を必要最小限に抑制しつつ、視認性を確保することができる。
【００１６】
さらに、前記有色被膜は赤色であることが望ましい。このような構成とすれば、赤色は、可視光の中で長波長領域に属し、長波長の光は短波長の光より散乱され難いので、特に優れた視認性を発揮する。
【００１７】
一方、前記有色被膜は、アクリル樹脂、アクリルシリコン樹脂、ウレタン樹脂、アルキド樹脂の中の少なくとも一つを含む塗料で形成することができる。
【００１８】
また、前記塗料が顔料若しくは蛍光物質の少なくとも一方を含むものであることが望ましい。
【００１９】
前記塗料のマンセル値の色相は５Ｒ〜６Ｒであることが望ましい。
【００２０】
前記塗料のマンセル値の明度は５〜６であることが望ましい。
【００２１】
前記塗料のマンセル値の彩度は１６〜１９であることが望ましい。
【００２２】
さらに、本発明のワイヤー工具においては、当該ワイヤー工具の端部から１ｋｍの長さの部分を前記有色被膜とすることが望ましい。
【００２３】
また、前記有色被膜の表面に蒸留水を塗布したときの接触角が７３度〜９１度であることが望ましい。
【発明の効果】
【００２４】
本発明により、マルチワイヤーソー装置などに対する着脱作業が容易であり、着脱作業中の安全性にも優れたワイヤー工具を提供することができる。
【図面の簡単な説明】
【００２５】
【図１】本発明の実施形態であるワイヤー工具を示す一部省略図である。
【図２】図１に示すワイヤー工具の矢線Ａで示す領域の拡大図である。
【図３】ボビンに巻回された状態にある図１のワイヤー工具を示す一部省略斜視図である。
【図４】従来のマルチワイヤーソー装置を示す一部省略斜視図である。
【発明を実施するための形態】
【００２６】
以下、図面に基づいて本発明の実施形態について説明する。図１，図２に示すように、本実施形態のワイヤー工具１０は芯線１１の外周に砥粒１２を合成樹脂１３で固着した砥粒層１４を有する切削工具であり、当該ワイヤー工具１０の両方の端部１０ａ，１０ｂからそれぞれ所定長さの部分に研削液に濡れ難い有色被膜１５，１６が設けられている。ワイヤー工具１０の全長１０Ｌは約５０ｋｍであり、有色被膜１５，１６の長さ１５Ｌ，１６Ｌはそれぞれの端部１０ａ，１０ｂから約１ｋｍとしているが、これに限定するものではない。
【００２７】
有色被膜１５，１６はいずれも赤色であり、アクリルシリコン樹脂を含有する塗料（例えば、株式会社カンペハピオの製品「油性トップガード」マンセル値：色相６．０Ｒ明度５．０／彩度１８．３）を砥粒層１４の外周面１４ａに塗装し、常温下で約３０分間乾燥させることによって形成されている。塗装方法は、スプレー法、ディップ法あるいは電着塗装法などを用いることができる。
【００２８】
このような構成とすれば、ワイヤー工具１０の有色被膜１５，１６は、他の部分より目立つ状態となって目視確認し易くなり、所謂、視認性が向上するので、例えば、図４に示すマルチワイヤーソー装置１００などに対する着脱作業が容易となる。また、有色被膜１５，１６の視認性が向上することにより、着脱作業中などに、予期せぬときに手指がワイヤー工具１００に接触することを回避することができるので、安全性に優れている。
【００２９】
また、有色被膜１５，１６を設けたことにより、砥粒１２が有色被膜１５，１６で被覆された状態となるので、マルチワイヤーソー装置１００（図４参照）などへのワイヤー工具１０の装着作業中、予期せぬ時に誤って手指などがワイヤー工具１０に触れても、皮膚を傷つけ難くなる。さらに、有色被膜１５，１６は水に濡れ難いので、研削液（例えば、株式会社ノリタケカンパニーリミテドの製品「ノリタケクール  Ｓ−１Ｋ」など）が有色被膜１５，１６に付着したときに表面で弾かれ、研削液で覆われてしまうことがなく、優れた視認性を維持することができる。
【００３０】
ここで、有色被膜１５，１６を形成する塗料（「油性トップガード」）の親水性を評価するために、異なる塗料を塗布された複数のサンプルの塗装表面の濡れ性を測定したところ、表１に示すような結果が得られた。なお、サンプルは、真鍮板の表面にそれぞれの塗料を、アプリケーターを用いて１０μｍの厚さで塗布し、３０分間、常温常圧下で乾燥させて形成した。また、サンプルの１つであるニッケルは真鍮板に１Ａで１０分間ニッケルめっきを施して作製した。接触角については、サンプルの表面に、マイクロシリンジを用いて蒸留水を３μｌ滴下し、滴下から６０秒経過時に接触角計（ＤＳＡ１００：ＫＲＵＳＳ社製）を用いて画像を撮影し、その画像から接触角を算出した。
【００３１】
【表１】
2015174163.tif 000003
【００３２】
表１を見ると、ニッケル、油性トップガード、蛍光色スプレー、油性ウレタンガード、ルミノサイン、の順に接触角が大であり、ニッケルに比べると、いずれの塗料も濡れ難いことが分かる。
【００３３】
また、図３に示すように、ボビン１７に巻回された状態にあるワイヤー工具１０をマルチワイヤーソー装置１００（図４参照）など対して取り付けたり、あるいはマルチワイヤーソー装置１００から取り外したりする場合、着脱作業に関与するのはワイヤー工具１０のそれぞれの端部１０ａ，１０ｂ（図１参照）寄りの部分であるため、有色被膜１５，１６の長さ１５Ｌ，１６Ｌをそれぞれの端部１０ａ，１０ｂから約１ｋｍ程度とすれば、有色被膜１５，１６の長さ１５Ｌ，１６Ｌを必要最小限に抑制しつつ、視認性を確保することができる。
【００３４】
さらに、赤色は、可視光の中で長波長領域に属し、長波長の光は短波長の光より散乱され難いので、有色被膜１５，１６を赤色としたことにより優れた視認性を発揮する。なお、有色被膜１５，１６の色は赤色に限定しないので、他の色（例えば、橙色、蛍光赤色）とすることもできる。
【００３５】
ここで、異なる色に着色したワイヤー工具を目視で確認し、視認性を評価したところ、表２に示すような結果が得られた。評価方法は、塗料を塗布していないワイヤー工具と比べ、視認性が向上したものは「○」とし、視認性が低下若しくは変化ないものは「×」としている。
【００３６】
【表２】
2015174163.tif 000004
【００３７】
表２を見ると、赤色若しくは蛍光赤色の視認性が高いのに対し、その他の色（灰色、白色、茶色、黒色、青色）の視認性は低いことが分かる。
【００３８】
なお、有色被膜１５，１６を形成するための塗料については、前述したものに限定しないので、アクリル樹脂を含有する塗料（例えば、株式会社カンペパピオの製品「蛍光色スプレー」マンセル値：５．４Ｒ５．７／１６．８）、ウレタン樹脂を含有する塗料（例えば、株式会社カンペパピオの製品「油性ウレタンガード」マンセル値：６．０Ｒ５．０／１８．３）あるいは蛍光物質及びアルキド樹脂を含有する塗料（例えば、シンロイヒ株式会社の製品「ルミノサイン」マンセル値：６．２Ｒ５．２／１７．７）などを使用することもできる。
【００３９】
図２に示すように、ワイヤー工具１０の砥粒層１４は合成樹脂１３で砥粒１２を固着することによって形成されているが、これに限定しないので、芯線の外周に電着金属で砥粒を固着して形成された砥粒層の外周面に有色塗料を塗装して有色被膜を設けることもできる。
【００４０】
なお、図１〜図３に基づいて説明したワイヤー工具１０は本発明の一例を示すものであり、本発明のワイヤー工具は前述したワイヤー工具１０に限定されない。
【産業上の利用可能性】
【００４１】
本発明のワイヤー工具は、シリコン、サファイア、ＳｉＣ、ＧａＮなどのインゴットのスライス加工を行う産業分野において広く利用することができる。
【符号の説明】
【００４２】
１０  ワイヤー工具
１０ａ，１０ｂ  端部
１０Ｌ  全長
１１  芯線
１２  砥粒
１３  合成樹脂
１４  砥粒層
１４ａ  外周面
１５，１６  有色被膜
１５Ｌ，１６Ｌ  有色被膜の長さ
１７  ボビン
【図４】
2015174163.tif 000005
【図１】
2015174163.tif 000006
【図２】
2015174163.tif 000007
【図３】
2015174163.tif 000008